(57)【要約】【課題】  記録パルスの波形歪みを抑制する情報記録装置および記録パルス生成方法を提供する。【解決手段】  半導体レーザを用いて光学情報記録媒体に記録マークを形成するための情報記録装置において、ｎbitのデジタル制御のための出力選択信号を発生する出力選択信号発生手段と、半導体レーザの駆動電流設定を２ｎ通りに設定する駆動電流設定手段と、前記出力選択信号発生手段からの１bit変化による状態遷移に従った選択信号により前記駆動電流設定手段からの半導体レーザ駆動電流設定を選択する出力選択手段と、前記出力選択手段により半導体レーザを駆動するための半導体レーザ駆動手段と、前記半導体レーザ駆動手段により駆動される半導体レーザとを有することを特徴とする情報記録装置。【選択図】      図２
2009064507.tif 000002
【特許請求の範囲】
【請求項１】
半導体レーザを用いて光学情報記録媒体に記録マークを形成するための情報記録装置において、
ｎbitのデジタル制御のための出力選択信号を発生する出力選択信号発生手段と、
半導体レーザの駆動電流設定を２ｎ通りに設定する駆動電流設定手段と、
前記出力選択信号発生手段からの１bit変化による状態遷移に従った選択信号により前記駆動電流設定手段からの半導体レーザ駆動電流設定を選択する出力選択手段と、
前記出力選択手段により半導体レーザを駆動するための半導体レーザ駆動手段と、
前記半導体レーザ駆動手段により駆動される半導体レーザとを有することを特徴とする情報記録装置。
【請求項２】
半導体レーザを用いて光学情報記録媒体に記録マークを形成するための情報記録装置において、
ｎbitのデジタル制御のための出力選択信号を発生する出力選択信号発生手段と、
半導体レーザの駆動電流設定を２ｎ通りに設定する駆動電流設定手段と、
前記出力選択信号発生手段からの１bit変化による状態遷移に従った選択信号により前記駆動電流設定手段からの半導体レーザ駆動電流設定を選択する出力選択手段と、
前記出力選択手段からの出力選択信号に半導体レーザ固定値駆動設定信号を加算するための加算回路手段と、
前記加算回路手段の信号により半導体レーザを駆動するための半導体レーザ駆動手段と、
前記半導体レーザ駆動手段により駆動される半導体レーザとを有することを特徴とする情報記録装置。
【請求項３】
前記駆動電流設定手段は、記録マークを形成するための半導体レーザの駆動電流を設定する手段を持つことを特徴とする請求項１に記載の情報記録装置。
【請求項４】
前記加算回路手段は、半導体レーザへの固定値駆動電流を設定する手段を持つことを特徴とする請求項２に記載の情報記録装置。
【請求項５】
半導体レーザを用いて光学情報記録媒体に記録マークを形成するための記録パルス生成方法であって、
ｎbitのデジタル制御のための出力選択信号を発生し、
半導体レーザの駆動電流設定を２ｎ通りに設定し、
前記出力選択信号の１bit変化による状態遷移に従った選択信号により前記駆動電流設定を選択し、
この選択により半導体レーザを駆動することを特徴とする記録パルス生成方法。
【発明の詳細な説明】
【技術分野】
【０００１】
本発明は、情報記録装置および記録パルス生成方法に係わり、特に光ディスク用記録対応ピックアップヘッドに関する。
【背景技術】
【０００２】
従来の半導体レーザ駆動回路では、半導体レーザ駆動電流設定毎に出力選択を実施しており、例えば４つの駆動電流設定を加算して記録用パルス波形を作成した後、半導体レーザを駆動している。
【０００３】
この場合、複数の半導体レーザ駆動電流を加算して記録パルス波形を作成するので、出力加算での半導体レーザ駆動電流設定間にて時間差が発生しなければ、高速での記録パルス波形の制御は可能である。
【０００４】
しかし、出力選択の高速制御では、制御信号の周波数成分が高くなるために制御信号を伝送する信号パターンの伝送路上のインダクタンスや抵抗成分と浮遊容量のインピーダンスによるフィルタ効果が発生し群遅延が発生する。このインピーダンス特性は伝送パターンにより変化するために群遅延として時間差が発生することになる。よって、出力選択での高速制御を駆動電流設定の出力加算を行うと時間差が発生し、半導体レーザ駆動パルス波形が階段状の波形歪みとなり、高速での記録パルス波形制御が困難となる。
【０００５】
例えば特許文献１にある技術によれば、ｎ個の発光レベルのそれぞれは、ｎ個のドライブ電圧のｎ個の積み上げ総和として演算され決定されると記述されており、複数の総和の際に複数を制御するタイミング信号について、時間的なズレで発生すると時間差による波形歪みが発生してしまうという問題があった。
【０００６】
即ちパルス生成回路１１は、記録データＤ0から４つの発光データＤ1、Ｄ2、Ｄ3及びＤ4と４つのホールド信号Ｈ1、Ｈ2、Ｈ3及びＨ4を検出し、該４つの発光データＤ1、Ｄ2、Ｄ3及びＤ4をアンプ１２、１３、１４及び１５に供給すると共に、該４つのホールド信号Ｈ1、Ｈ2、Ｈ3及びＨ4を図示しない自動出力制御回路に供給する。駆動回路１６、１７、１８及び１９は、自動出力制御回路からのドライブ電圧ＶD1、ＶD2、ＶD3及びＶD4に応じた４つの発光レベルをレーザダイオードＬＤに供給する。
【特許文献１】特開平８−１２４１６２号公報（２−５頁  図１、図４）
【発明の開示】
【発明が解決しようとする課題】
【０００７】
本発明は、記録パルスの波形歪みを抑制する情報記録装置および記録パルス生成方法を提供することを目的とする。
【課題を解決するための手段】
【０００８】
上記課題を解決するために、本発明の情報記録装置は、半導体レーザを用いて光学情報記録媒体に記録マークを形成するための情報記録装置において、ｎbitのデジタル制御のための出力選択信号を発生する出力選択信号発生手段と、半導体レーザの駆動電流設定を２ｎ通りに設定する駆動電流設定手段と、前記出力選択信号発生手段からの１bit変化による状態遷移に従った選択信号により前記駆動電流設定手段からの半導体レーザ駆動電流設定を選択する出力選択手段と、前記出力選択手段により半導体レーザを駆動するための半導体レーザ駆動手段と、前記半導体レーザ駆動手段により駆動される半導体レーザとを具備することを特徴とする。
【発明の効果】
【０００９】
本発明によれば、記録パルスの波形歪みを抑制する情報記録装置および記録パルス生成方法が得られる。
【発明を実施するための最良の形態】
【００１０】
以下、本発明の実施例を説明する。
【実施例１】
【００１１】
本発明による実施例１を図１乃至図４を参照して説明する。図１は、本発明に係る実施例の光ディスク装置の一例を示すブロック構成図である。また図２は、本発明に係る実施例の光ディスク装置の要部の構成を示す概略機能ブロック図である。
【００１２】
[発明の実施の形態]
以下に、本発明に係る情報記録装置および記録パルス生成方法を、光ディスク記録再生装置を一例として図面を参照して詳細に説明する。なお、この実施形態では光ディスク記録再生装置の例をあげて説明したが、対象とする記録媒体は光ディスクには限らず、例えば光磁気ディスク等の記録媒体であれば、同等の原理に基づき同等の作用効果を生じるものである。
【００１３】
[光ディスク装置の構成]
本発明に係る光ディスク装置の一実施形態について添付図面を参照して説明する。
＜本発明に係る光ディスク装置の構成＞
（光ディスク装置の基本構成）
図１において、本発明に係る光ディスク装置Ａは光ディスクＤに対するデータ記録又はデータ再生を行うものである。上記光ディスク装置Ａは、ディスクカートリッジに収納された光ディスクＤを搬送するトレー３２と、このトレーを駆動するトレーモータ３３と、光ディスクＤを保持するクランパ３４と、これにより保持された光ディスクＤを所定回転数で回転させるスピンドルモータ３５とを有している。更に、制御部として全体の動作制御を行うＣＰＵ４６と、この制御動作の基本的なプログラム等を格納するＲＯＭ４７と、各制御プログラムやアプリケーションデータ等を書替可能に格納するＲＡＭ４８とが制御バスを介して接続されている。更にこれらのＣＰＵ４６等の制御部にそれぞれ接続されて、ピックアップＰＵの搬送を行う送りモータ３６と、ピックアップのフォーカスやトラッキング制御を行うフォーカス／トラッキングアクチュエータドライバ／送りモータドライバ４０、更にスピンドルモータ３５を駆動するスピンドルモータドライバ４１、トレーモータを駆動するトレーモータドライバ４２がそれぞれ設けられている。
【００１４】
又更に、ピックアップヘッドＰＵＨに接続され検出信号を増幅するプリアンプ３７と、サーボアンプ３８，更にシーク動作を行うためのシーク信号をドライバに供給するサーボシーク制御ユニット３９とを有している。更にピックアップヘッドＰＵＨとプリアンプ３７、サーボシーク制御ユニット３９等に接続され、検出信号及び記録信号を処理するためのデータ処理ユニット１、この各種処理に用いるデータを格納するためのＲＡＭ４３が設けられている。このデータ処理ユニット１からの信号を外部装置との間で送受信するべく、インタフェース制御部４５がＲＡＭ４４を伴って設けられている。
【００１５】
このような光ディスク装置において、本発明では更に図１に示すような構成を含むデータ処理ユニット１とすることで、ビタビ復号処理が要求する最適の等化信号を供給するものである。すなわち、理想信号Ｉから目標波形信号Ｔを生成し、これによりＦＩＲフィル
【００１６】
タのタップ係数等の再生処理のためのパラメータを最適化するものである。これによって、従来装置にある、ビタビ復号処理で必要な２Ｔ信号レベルを超えて理想波形の２Ｔ信号レベルに近い等化を行うことで、雑音まで不必要に増幅してしまい復号誤りを発生するという問題を解消するものである。
【００１７】
（光ディスク装置の基本動作）
このような構成を有する本発明の実施に設けられる光ディスク装置は、以下のように光ディスクの再生処理及び記録処理を行う。すなわち、光ディスクＤが光ディスク装置Ａへ装填されると、ピックアップヘッドＰＵＨとデータ処理ユニット１を用いて、光ディスクＤのリードインエリアのエンボスデータゾーン内のコントロールデータゾーンに記録されている光ディスクＤの制御情報が読み取られ、ＣＰＵ４６に供給されるようになっている。
【００１８】
本発明の光ディスク装置Ａでは、ユーザの操作による操作情報や光ディスク内のコントロールデータゾーンに記録されている光ディスクＤの制御情報、現在のステータス等に基づいて、ＣＰＵ４６の制御下において、図示しないレーザ制御ユニットによって付勢され
【００１９】
てレーザビームを発生する。
発生したレーザビームは、対物レンズ３１により収束され、ディスクの記録領域へと照射される。これにより、光ディスクＤの記憶領域にデータが記録され（マーク列の生成：可変長のマークとマークの間隔と、可変長の各マークの長さにより光ディスクＤにデータが記録される）、或いは、格納されているデータに対応する強度の光が反射されこれが検出されて、このデータの再生が行われる。
【００２０】
図１ではピックアップヘッドＰＵＨに含まれるレーザ制御ユニットＰＵは、データ処理ユニット１によってその設定がセットされるが、その設定は、再生信号ＲＦを得る再生パワー、データを記録する記録パワー及びデータを消去する消去パワーで異なっている。レーザビームは、再生パワー、記録パワー及び消去パワーの３つのパワーでそれぞれ異なるレベルのパワーを有し、それぞれのパワーのレーザビームが発生されるように半導体レーザユニットがレーザ制御ユニットによって付勢される。
【００２１】
このレーザ制御ユニットは、図示しない抵抗とトランジスタにより構成され、電源電圧が抵抗とトランジスタと半導体レーザユニットとしての半導体レーザに印加されるようになっている。これにより、トランジスタのベース電流により増幅率が異なり、半導体レーザ発振器に異なる電流が流れ、強度の異なったレーザビームが発生されるようになっている。ここでは、光ディスク１枚１枚の特性に応じて記録波形補償がなされ、記録波形生成回路１１から出力される記録波形パルスＷに応じてレーザパワーが発生され、光ディスクへの記録処理がなされるようになっている。
【００２２】
又、光ディスクＤが対物レンズ３１に対向して配置されるように、この光ディスクＤは、直接或いはディスクカートリッジに収納されてトレー３２によって装置内に搬送される。このトレー３２を駆動するためのトレーモータ３３が装置内に設けられている。また、装填された光ディスクＤは、クランパ３４によって回転可能にスピンドルモータ３５上に保持され、このスピンドルモータ３５によって所定回転数に回転される。
【００２３】
ピックアップヘッドＰＵＨは、その内にレーザビームを検出する光検出器（図示せず）を有している。この光検出器は、光ディスクＤで反射されて対物レンズ３１を介して戻されたレーザビームを検出する。光検出器からの検出信号（電流信号）は、電流／電圧変換
【００２４】
器（Ｉ／Ｖ）で電圧信号に変換され、この信号は、プリアンプ３７及びサーボアンプ３４に供給される。プリアンプ３７からは、ヘッダ部のデータの再生用と記録領域のデータの再生用信号がデータ処理ユニット１に出力される。サーボアンプ３４からのサーボ信号（トラックエラー信号、フォーカスエラー信号）は、サーボシーク制御ユニット３９に出力される。
【００２５】
ここで、フォーカスずれ量を光学的に検出する方法としては、詳述はしないがたとえば非点収差法やナイフエッジ法がある。このようなフォーカス制御及びトラック制御により、サーボシーク制御ユニット３９からフォーカス信号、トラッキング信号及び送り信号がフォーカス及びトラッキングアクチュエータドライバ並びに送りモータドライバ４０に送られ、このドライバ４０によって対物レンズ３１がフォーカスサーボ制御され、また、トラッキングサーボ制御される。更に、アクセス信号に応じてドライバ４０から付勢信号が送りモータ３６に供給されピックアップヘッドＰＵＨが搬送制御される。
【００２６】
又、サーボシーク制御ユニット３９は、データ処理ユニット１によって制御される。例えば、データ処理ユニット１からアクセス信号がサーボシーク制御ユニット３９に供給されて送り信号が生成される。
【００２７】
又、データ処理ユニット１からの制御信号でスピンドルモータドライバ４１及びトレーモータドライバ４２が制御され、スピンドルモータ３５及びトレーモータ３３が付勢され、スピンドルモータ３５が所定回転数で回転され、トレーモータ３３がトレーを適切に制御することとなる。
【００２８】
データ処理ユニット１に供給されたヘッダ部のデータに対応する再生信号ＲＦは、ＣＰＵ４６に供給される。これによりＣＰＵ４６は、その再生信号ＲＦによりヘッダ部のアドレスとしてのセクタ番号を判断し、アクセスする（データを記録するあるいは記録されているデータを再生する）アドレスとしてのセクタ番号との比較を行うようになっている。
【００２９】
データ処理ユニット１に供給された記録領域のデータに対応する再生信号ＲＦは、ＲＡＭ４８に必要なデータが格納され、再生信号ＲＦがこのデータ処理ユニット１で処理されてインタフェース制御部４５に供給され、例えばパーソナルコンピュータ等の外部装置に
【００３０】
再生処理信号が供給される。
＜本発明に係る要部の概略機能＞
次に本発明の特徴である、要部の概略機能について、図面を用いて以下に説明する。
[２ｎbitデジタル制御の出力選択回路１６における１bit変化の状態遷移]
以下、本発明に係る光学情報記録方法の実施例について図面を参照しながら説明する。
実施例１は、半導体レーザを用いてデータ長に応じて光学情報記録媒体に記録マークを形成するための光学情報記録方法を用いる情報記録装置である。
この実施例１での光学情報記録方法は、図２に示すような半導体レーザ駆動回路１０と、図３に示すデジタル制御の出力選択回路での１bit変化の状態遷移アルゴリズム２０からなり、例えば４つの半導体レーザ駆動設定（Ａ１１,Ｂ１２,Ｃ１３,Ｄ１４）を、２bit信号出力の出力信号発生回路１５からの時間経過で変化するデジタル制御の出力選択信号により、１bit変化の「"0"⇒"1"」か「"1"⇒"0"」と変化する状態遷移アルゴリズム２０の指示に従い、出力選択回路１６にて半導体レーザ駆動設定を選択し、半導体レーザ駆動回路１７により半導体レーザ１８を駆動する情報記録装置である。
【００３１】
図３はデジタル制御の出力選択回路での１bit変化の状態遷移アルゴリズム２０であり、半導体レーザ駆動設定と２bitの出力選択信号の関係(出力選択信号：０d/10進数の００b/2進数では半導体レーザ駆動設定：Ａを選択２１、出力選択信号：１dの０１bでは半導体レーザ駆動設定：Ｂを選択２２、出力選択信号：２d/10進数の１０b/2進数では半導体レーザ駆動設定：Ｃを選択２３、出力選択信号：３d/10進数の１１b/2進数では半導体レーザ駆動設定：Ｄを選択２４）と、出力選択信号について１bit変化での「"0"⇒"1"」か「"1"⇒"0"」と変化する場合の状態遷移である。
【００３２】
本発明の実施例では、図２に示すデジタル制御の出力選択回路１６を用いた半導体レーザ駆動回路１０で、図３に示すデジタル制御の出力選択信号での１bit変化での状態遷移アルゴリズム２０に従って半導体レーザ駆動設定（Ａ１１,Ｂ１２,Ｃ１３,Ｄ１４）の出力選択１６を実施することで、時間経過での制御に対して出力選択という単純な手段を用いており、加算を伴わないので、高速選択により波形歪みが無く、光学情報記録媒体への記録マークを形成するための記録用光パルス波形の立ち上がり／立ち下がり時間を高速に制御することが可能である。この処理はデータ処理ユニット１の制御下においてＲＯＭ４７に格納された制御プログラムの元にＲＡＭ４８で行われる。
【００３３】
図４の（ａ）〜（ｆ）は、本発明の実施例による光学情報記録媒体への記録マークを形成するための記録用光パルス波形例である。立ち上がりを急峻にし、また書き終わりでパワーを（ａ）、（ｂ）のように少し強く保ったり、それとは異なり（ｃ）のように落としたりという工夫が可能である。
【００３４】
図４の（ｅ）〜（ｆ）は、メディアとして例えばＤＶＤ−ＲＷへの記録マークを形成するための２度書き用マルチパルス波形例である。
４つの半導体レーザ駆動設定(Ａ１１,Ｂ１２,Ｃ１３,Ｄ１４)に任意の半導体レーザ駆動設定値を設定して、時間経過で２bitの出力選択信号１５を必ず１bit変化での状態遷移アルゴリズム２０に従って出力選択１６を行い、半導体レーザ１８を駆動した記録パルス波形であり、出力選択信号１５の１bit変化での状態遷移アルゴリズム２０の指示に従うことで波形歪みが発生せずに高速に記録パルス波形を制御できる。
【実施例２】
【００３５】
本発明による実施例２を図１乃至図２及び図４乃至図７を参照して説明する。実施例１と共通する部分は説明を省略する。図５は、要部の構成を示す概略機能ブロック図である。
【００３６】
実施例２における光学情報記録方法は、図５に示すような半導体レーザ駆動回路５０と、図３に示すデジタル制御の出力選択回路での１bit変化の状態遷移アルゴリズム２０からなり、例えば４つの半導体レーザ駆動設定（Ａ５１,Ｂ５２,Ｃ５３,Ｄ５４）を、２bit信号出力の出力信号発生回路５５からの時間経過で変化するデジタル制御の出力選択信号により、１bit変化の「"0"⇒"1"」か「"1"⇒"0"」と変化する状態遷移アルゴリズム２０の指示に従い、出力選択回路５６にて半導体レーザ駆動設定を選択し、半導体レーザ固定値駆動設定５７からのバイアス設定と出力選択回路５６からの半導体レーザ駆動設定信号とを加算回路５８にて加算し、半導体レーザ駆動回路５９により半導体レーザ６０を駆動する情報記録装置である。
【００３７】
この実施例２での光学情報記録方法は、４つの半導体レーザ駆動設定(Ａ５１,Ｂ５２,Ｃ５３,Ｄ５４)に任意の半導体レーザ駆動設定値を設定して、時間経過で２bitの出力選択信号５５について必ず１bit変化での状態遷移アルゴリズム２０に従って出力選択回路５６により出力選択を行うことにより波形歪みが発生せずに高速に記録パルス波形を制御できる。
【００３８】
そして、半導体レーザ固定値駆動設定５７での設定値は、図６に示す半導体レーザの駆動電流−光量の駆動電流特性における光量に寄与しない設定電流のスレッショルド電流（Ｉth）や、時間変動のない直流成分による一定レベルでの光量に相当する電流を常に加算することにより、記録用パルス波形のための半導体レーザ駆動設定の設定値を小さくすることが可能となる。
【００３９】
この図６を用いて、レーザ駆動電流とレーザ光出力との関係について更に説明する。ＰＵ内にあり光ディスク装置に用いられる半導体レーザは、所定の電流値を供給することにより発光する。レーザ駆動電流とレーザ光出力との関係は、図６に示すように、スレッショルド電流（Ｉth）より大きな電流値では概ねリニアな特性になっており、レーザ駆動電流を定めれば、一義的にレーザ光出力が決定する関係にある。半導体レーザは、また、負の温度特性をもっており、半導体レーザ１の温度が上昇すると、発光させるためのレーザ駆動電流が増加し、レーザ駆動電流とレーザ光出力との関係を示す直線の傾きも緩やかになる。
【００４０】
Ａ Ｐ Ｃ （ Ａ Ｐ Ｃ ： Ａ ｕ ｔ ｏ   Ｐ ｏ ｗ ｅ ｒ   Ｃ ｏ ｎ ｔ ｒ ｏ ｌ ） 制御部を行うために、半導体レーザのレーザ出力を検出するＦＰ Ｄ （ Ｆ Ｐ Ｄ ： Ｆ ｒ ｏ ｎ ｔ   Ｍ ｏ ｎ ｉ ｔ ｏ ｒ   Ｐ ｈ ｏ ｔ ｏ   Ｄ ｉ ｏ ｄ ｅ 、図示せず）の出力を利用している。ＦＰ Ｄは、ピックアップヘッドＰＵＨ内にある。
【００４１】
図６に戻りその横軸は、レーザ駆動電流の値を、縦軸は、レーザ出力の値を示している。そして図７は半導体レーザの温度特性例を示す図である。半導体レーザの温度の高低により、複数の特性が描かれている。
【００４２】
上記のようにこれらの実施例は概要として、光ディスク装置の半導体レーザ駆動設定をデジタル制御の出力選択回路を用いた半導体レーザ駆動回路において、デジタル制御での出力選択信号について１bit変化での状態遷移アルゴリズムに従って半導体レーザ駆動設定の出力選択を実施することを特徴とした記録パルス生成方法に関する。
【００４３】
そこで、例えば４つの駆動電流設定を出力加算せずに、２bitのデジタル制御での出力選択回路を用いて半導体レーザ駆動電流設定の出力選択の単純化で半導体レーザを駆動し、記録パルス波形を作成する。
【００４４】
効果としてはこの時、半導体レーザに対する駆動電流設定の出力選択をデジタル制御とする半導体レーザ駆動回路において、デジタル制御の出力選択信号について必ず１bit変化で「"0"⇒"1"」か「"1"⇒"0"」と変化する状態遷移アルゴリズムを用いて出力選択を実施することにより、駆動電流設定間での時間差による波形歪みを発生させず、半導体レーザ駆動での光学情報記録媒体への記録マーク形成の記録用光パルス波形を高速に制御することを実現する。
【００４５】
上述した構成を有する本発明では、半導体レーザ駆動設定をデジタル制御の出力選択回路を用いた半導体レーザ駆動回路において、デジタル制御での出力選択信号について１bit変化での状態遷移アルゴリズムに従って半導体レーザ駆動設定の出力選択を実施することは、時間経過での半導体レーザ駆動制御に対して出力選択という単純な手段を用いているので、高速選択により波形歪みの発生が無く、光学情報記録媒体への記録マークを形成するための記録用光パルス波形の立ち上がり／立ち下がり時間を高速に制御することが可能である。
【００４６】
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４７】
【図１】本発明に係る実施例の光ディスク装置の一例を示すブロック図。
【図２】同実施例の要部の構成を示す概略機能ブロック図。
【図３】同実施例の２bitデジタル制御の出力選択回路１６における１bit変化の状態遷移図。
【図４】同実施例の記録パルス波形例。
【図５】同他の例に用いられる要部の構成を示す概略機能ブロック図。
【図６】半導体レーザの駆動電流特性概略図。
【図７】半導体レーザの温度特性を示す図。
【符号の説明】
【００４８】
１…データ処理ユニット、１０…半導体レーザ駆動回路、１５…出力信号発生回路、１６…出力選択回路、１７…半導体レーザ駆動回路、１８…半導体レーザ、２０…状態遷移アルゴリズム、３１…対物レンズ、３２…トレー、３３…トレーモータ、３４…クランパ、３５…スピンドルモータ、３６…送りモータ、３７…プリアンプ、３８…サーボアンプ、３９…サーボシーク制御ユニット、４０…フォーカス／トラッキングアクチュエータドライバ／送りモータドライバ、４１…スピンドルモータドライバ、４２…トレーモータドライバ、４３…ＲＡＭ、４４…ＲＡＭ、４５…インタフェース制御部、４６…ＣＰＵ、４７…ＲＯＭ、４８…ＲＡＭ、５０…半導体レーザ駆動回路、５５…出力信号発生回路、５６…出力選択回路、５７…半導体レーザ固定値駆動設定、５８…加算回路、５９…半導体レーザ駆動回路、６０…半導体レーザ。
【図１】
2009064507.tif 000003
【図２】
2009064507.tif 000004
【図３】
2009064507.tif 000005
【図４】
2009064507.tif 000006
【図５】
2009064507.tif 000007
【図６】
2009064507.tif 000008
【図７】
2009064507.tif 000009